(57)【要約】【課題】  プリペイドカードを発行することなく通信量をチャージさせる。【解決手段】  チャージ仲介サーバ１０は、贈り側端末３０から受信したチャージ仲介情報に含まれるチャージ額をクレジット決済し、チャージ額および自サーバ１０のＵＲＬを示すプレゼント案内メールを受取側端末４０宛に送信する。その後チャージ仲介サーバ１０にアクセスしてきた受取側端末４０からチャージ額を受領する旨の承諾情報を受信した場合には、請求金額にチャージ額を充当するように要求する充当要求を料金管理サーバ２０に送信する。料金管理サーバ２０は、受取側電話番号に対応して管理されている請求金額にチャージ額の充当を可能にするための充当受付処理を実行する。【選択図】  図１
2005094675.tif 000002
【特許請求の範囲】
【請求項１】
チャージ仲介装置と、料金管理装置とを備えるサービス提供システムにおいて、
前記チャージ仲介装置は、
少なくとも、請求金額に充当するチャージ額の贈り側を特定する贈側特定情報、前記チャージ額の受け取り側を特定する受取側特定情報および前記チャージ額を含むチャージ仲介情報を、前記贈り側の端末から取得するチャージ仲介情報取得手段と、
前記チャージ仲介情報取得手段により取得されたチャージ仲介情報に含まれるチャージ額の決済処理を行うように要求する決済要求手段と、
前記決済要求手段により要求された前記決済処理が正常に終了した場合に、前記チャージ仲介情報取得手段により取得されたチャージ仲介情報に含まれるチャージ額および自装置のアドレス情報を示す電子メールを前記受取側の端末宛に送信するメール送信手段と、
前記メール送信手段により送信された電子メールに示されるチャージ額の受け取りを承諾するか否かを示す承諾情報を、前記アドレス情報に基づいてアクセスしてきた前記受取側の端末から取得する承諾取得手段と、
前記承諾取得手段により取得された前記承諾情報が前記チャージ額の受け取りを承諾することを示す場合に、前記受取側の端末に対応する請求金額に前記チャージ額を充当するように要求する充当要求を、前記料金管理装置に送信する充当要求送信手段とを備え、
前記料金管理装置は、
前記充当要求を前記チャージ仲介装置から受信する充当要求受信手段と、
前記充当要求受信手段により受信された充当要求に基づいて、前記受取側の端末に対応する請求金額に前記チャージ額を充当させる充当手段とを備える
ことを特徴とするサービス提供システム。
【請求項２】
前記チャージ仲介装置のチャージ仲介情報取得手段は、前記承諾取得手段により取得された前記承諾情報が前記チャージ額の受け取りを拒否することを示す場合に、前記贈り側の端末から改めて前記チャージ仲介情報を取得することを特徴とする請求項１記載のサービス提供システム。
【請求項３】
前記チャージ仲介装置の充当要求送信手段は、前記承諾取得手段により取得された前記承諾情報が前記チャージ額の受け取りを拒否することを示す場合に、前記贈り側の端末に対応する請求金額に前記チャージ額を充当するように要求する充当要求を、前記料金管理装置に送信し、
前記料金管理装置の充当手段は、前記贈り側の端末に対応する請求金額に前記チャージ額を充当させる
ことを特徴とする請求項１記載のサービス提供システム。
【請求項４】
前記チャージ仲介装置の充当要求送信手段は、前記承諾取得手段により前記チャージ額の受け取りを承諾することを示す承諾情報が取得されることなく、所定のチャージ期限を経過した場合に、前記贈り側の端末に対応する請求金額に前記チャージ額を充当するように要求する充当要求を、前記料金管理装置に送信し、
前記料金管理装置の充当手段は、前記贈り側の端末に対応する請求金額に前記チャージ額を充当させる
ことを特徴とする請求項１〜３のいずれか１項に記載のサービス提供システム。
【発明の詳細な説明】
【技術分野】
【０００１】
本発明は、サービス提供システムに関する。
【背景技術】
【０００２】
下記特許文献１には、プリペイドカードを購入したユーザが、当該ユーザが所有する携帯電話機を用いて、プリペイドカードのプリペイド度数を他の携帯電話機のプリペイド度数に加算する技術が開示されている。
【特許文献１】特開２００１−２８５５２９号公報
【発明の開示】
【発明が解決しようとする課題】
【０００３】
ところで、プリペイドカードは、一旦プリペイド度数（チャージ額）をチャージしてしまうと不要となるため、資源の無駄が発生していた。
【０００４】
そこで、本発明は、上述した課題を解決するために、プリペイドカードを発行することなくチャージ額を通信料金等の請求金額に充当させることができるサービス提供システムを提供することを目的とする。
【課題を解決するための手段】
【０００５】
本発明のサービス提供システムは、チャージ仲介装置と、料金管理装置とを備えるサービス提供システムであって、チャージ仲介装置は、少なくとも、請求金額に充当するチャージ額の贈り側を特定する贈側特定情報、チャージ額の受け取り側を特定する受取側特定情報およびチャージ額を含むチャージ仲介情報を、贈り側の端末から取得するチャージ仲介情報取得手段と、チャージ仲介情報取得手段により取得されたチャージ仲介情報に含まれるチャージ額の決済処理を行うように要求する決済要求手段と、決済要求手段により要求された決済処理が正常に終了した場合に、チャージ仲介情報取得手段により取得されたチャージ仲介情報に含まれるチャージ額および自装置のアドレス情報を示す電子メールを受取側の端末宛に送信するメール送信手段と、メール送信手段により送信された電子メールに示されるチャージ額の受け取りを承諾するか否かを示す承諾情報を、上記アドレス情報に基づいてアクセスしてきた受取側の端末から取得する承諾取得手段と、承諾取得手段により取得された承諾情報がチャージ額の受け取りを承諾することを示す場合に、受取側の端末に対応する請求金額にチャージ額を充当するように要求する充当要求を、料金管理装置に送信する充当要求送信手段とを備え、料金管理装置は、上記充当要求をチャージ仲介装置から受信する充当要求受信手段と、充当要求受信手段により受信された充当要求に基づいて、受取側の端末に対応する請求金額にチャージ額を充当させる充当手段とを備えることを特徴とする。
【０００６】
この発明によれば、贈り側の端末から取得されたチャージ仲介情報に含まれるチャージ額を決済することができ、受取側の端末に送信した電子メールに示されるチャージ額の受け取りを承諾するか否かを示す承諾情報を、電子メールに示されるアドレス情報に基づいてアクセスしてきた受取側の端末から取得することができるため、チャージ額の受け取りを承諾することを示す承諾情報を取得した場合には、受取側の端末に対応する請求金額にチャージ額を充当するように要求する充当要求を、料金管理装置に送信することができ、料金管理装置では、チャージ仲介装置から受信した充当要求に基づいて、受取側の端末に対応する請求金額にチャージ額を充当させることができる。すなわち、決済されたチャージ額を、贈り側の端末から受取側の端末にプレゼントすることが可能となり、当該プレゼントされたチャージ額を受取側の端末に対応する請求金額に充当させることができる。したがって、プリペイドカードを発行することなくチャージ額を請求金額に充当させることができる。
【０００７】
本発明のサービス提供システムにおいて、チャージ仲介装置のチャージ仲介情報取得手段は、承諾取得手段により取得された承諾情報がチャージ額の受け取りを拒否することを示す場合に、贈り側の端末から改めてチャージ仲介情報を取得させることが好ましい。
【０００８】
このようにすれば、チャージ額がプレゼントされた受取側からチャージ額の受け取りを拒否された場合であっても、贈り側は、受取側を変更してチャージ額をプレゼントすることができる。
【０００９】
本発明のサービス提供システムにおいて、チャージ仲介装置の充当要求送信手段は、承諾取得手段により取得された承諾情報がチャージ額の受け取りを拒否することを示す場合に、贈り側の端末に対応する請求金額にチャージ額を充当するように要求する充当要求を、料金管理装置に送信し、料金管理装置の充当手段は、贈り側の端末に対応する請求金額にチャージ額を充当させることが好ましい。
【００１０】
このようにすれば、チャージ額がプレゼントされた受取側からチャージ額の受け取りを拒否された場合であっても、贈り側は、贈り側自身の請求金額にチャージ額を充当させることができる。
【００１１】
本発明のサービス提供システムにおいて、チャージ仲介装置の充当要求送信手段は、承諾取得手段によりチャージ額の受け取りを承諾することを示す承諾情報が取得されることなく、所定のチャージ期限を経過した場合に、贈り側の端末に対応する請求金額にチャージ額を充当するように要求する充当要求を、料金管理装置に送信し、料金管理装置の充当手段は、贈り側の端末に対応する請求金額にチャージ額を充当させることが好ましい。
【００１２】
このようにすれば、チャージ額がプレゼントされた受取側から何ら返答がない場合であっても、所定のチャージ期限が経過した場合には、贈り側自身の請求金額にチャージ額を充当させることができる。
【発明の効果】
【００１３】
本発明に係るサービス提供システムによれば、プリペイドカードを発行することなくチャージ額を通信料金等の請求金額に充当させることができる。
【発明を実施するための最良の形態】
【００１４】
以下、本発明に係るサービス提供システムの実施形態を図面に基づき説明する。なお、各図において、同一要素には同一符号を付して重複する説明を省略する。
【００１５】
図１は、実施形態におけるサービス提供システム１の構成を例示する図である。図１に示すように、サービス提供システム１は、チャージ仲介サーバ（チャージ仲介装置）１０と、料金管理サーバ（料金管理装置）２０と、移動通信網５０とを有する。チャージ仲介サーバ１０と料金管理サーバ２０は、基地局や交換局等からなる移動通信網５０に接続されており、移動通信網５０を経由して相互にデータの送受信を行うことができる。また、本実施形態においては、サービス提供システム１を利用する携帯電話機として、贈り側端末３０および受取側端末４０を用いて説明する。なお、サービス提供システム１を利用する端末は、携帯電話機に限られず、例えば、簡易型携帯電話機（ＰＨＳ）や通信機能を有する携帯型情報端末（ＰＤＡ）等の移動通信端末、あるいは、ＰＣ端末等の固定通信端末であってもよい。
【００１６】
次に、図１に示される各装置について説明する。図１に示されるチャージ仲介サーバ１０は、贈り側端末３０から取得したチャージ額に関する情報に基づいて、当該チャージ額を受取側端末４０に対応する通信料金等の請求金額に充当するように、料金管理サーバ２０に対して要求する装置である。ここで、本実施形態におけるチャージ額は、携帯電話機の通信料金等の請求金額に充当可能なプリペイド額をいう。
【００１７】
ここで、図２を参照してチャージ仲介サーバ１０の機能構成について説明する。図２に示すように、チャージ仲介サーバ１０は、チャージ仲介情報取得部（チャージ仲介情報取得手段）１１と、クレジット決済申請部（決済要求手段）１２と、チャージ仲介情報登録部１３と、チャージ仲介情報送信部１４と、メール送信部（メール送信手段）１５と、チャージ承諾取得部（承諾取得手段）１６と、充当要求送信部（充当要求送信手段）１７とを有している。
【００１８】
チャージ仲介情報取得部１１は、チャージ仲介情報を贈り側端末３０から取得する。ここで、チャージ仲介情報は、携帯電話機の通信料金等の請求金額に充当するチャージ額のプレゼントに関する情報である。チャージ仲介情報には、例えば、チャージ額の贈り側を特定する電話番号やメールアドレス等の贈側特定情報、チャージ額の受け取り側を特定する電話番号やメールアドレス等の受取側特定情報、チャージ額、および贈り側から受取側へのメッセージ情報が含まれる。
【００１９】
チャージ仲介情報取得部１１の機能について具体的に説明すると、チャージ仲介情報取得部１１は、チャージ仲介サーバ１０にアクセスしてきた贈り側端末３０に対して、チャージ仲介情報を入力するためのチャージ仲介情報入力画面を表示させる表示データを送信する。また、チャージ仲介情報取得部１１は、チャージ仲介情報入力画面に入力された情報をチャージ仲介情報として贈り側端末３０から受信する。
【００２０】
なお、チャージ仲介情報取得部１１は、後述するチャージ承諾取得部１６により取得された承諾情報が受け取りを拒否することを示す場合に、贈り側端末３０に対して、その旨のメールを送信し、再度、チャージ仲介サーバ１０にアクセスしてきた贈り側端末３０からチャージ仲介情報を取得する。
【００２１】
クレジット決済申請部１２は、贈り側端末３０から取得したチャージ仲介情報に含まれるチャージ額をクレジット決済するために、クレジット決済システムに対してクレジット決済の申請処理（決済処理）を実行する。具体的に説明すると、クレジット決済申請部１２は、贈り側の決済口座情報が登録されているクレジット決済システムに対して、クレジット決済の申請を要求するクレジット決済の申請要求を送信する。クレジット決済申請部１２は、クレジット決済システムから申請要求に対する応答を受信する。ここで、クレジット決済の申請要求には、例えば、決済口座情報（口座名義人、口座番号）、決済額が含まれる。なお、贈り側の決済口座情報は、事前にチャージ仲介サーバ１０に登録されていてもよいし、チャージ仲介情報取得部１１により贈り側端末３０からチャージ仲介情報とともに取得することとしてもよい。また、クレジット決済システムから送信される応答には、例えば、クレジット決済の受付が完了した旨の応答や、クレジット決済が不能である旨の応答がある。クレジット決済申請部１２は、クレジット決済システムからクレジット決済が不能である旨の応答を受信した場合には、贈り側端末３０にその旨を通知する。
【００２２】
チャージ仲介情報登録部１３は、チャージ仲介情報取得部１１により取得されたチャージ仲介情報をデータベースに登録して記憶させる。なお、チャージ仲介情報登録部１３は、クレジット決済申請部１２がクレジット決済システムからクレジット決済の受付が完了した旨の応答を受信した場合に機能する。
【００２３】
ここで、図４を参照して、チャージ仲介情報を記憶するデータベースのデータ構成について説明する。データベースには、データ項目として、例えば、贈り側電話番号、贈り側メールアドレス、受取側電話番号、受取側メールアドレス、チャージ額、チャージＩＤ、メッセージ、仲介情報登録日およびチャージ先確定日が設定されている。贈り側電話番号には、贈り側端末３０を一意に特定する電話番号が格納され、贈り側メールアドレスには、贈り側端末３０のメールアドレスが格納され、受取側電話番号には、受取側端末４０を一意に特定する電話番号が格納され、受取側メールアドレスには、受取側端末４０のメールアドレスが格納される。また、チャージ額には、請求金額に充足されるチャージ額が格納され、チャージＩＤには、チャージ仲介情報を一意に特定する識別ＩＤが格納され、メッセージには、贈り側から受取側へのメッセージ内容に対応するメッセージＩＤが格納される。さらに、仲介情報登録日には、チャージ仲介情報が当該データベースに登録された年月日が格納され、チャージ先確定日には、チャージ額を充当するチャージ先が確定した年月日が格納される。
【００２４】
チャージ仲介情報送信部１４は、チャージ仲介情報取得部１１により取得されたチャージ仲介情報を、料金管理サーバ２０に送信する。なお、チャージ仲介情報送信部１４は、クレジット決済申請部１２がクレジット決済システムからクレジット決済の受付が完了した旨の応答を受信した場合（決済処理が正常に終了した場合）に機能する。
【００２５】
メール送信部１５は、チャージ仲介情報に含まれるチャージ額およびチャージ仲介サーバ１０のアドレス情報を示す電子メールをプレゼント案内メールとして受取側端末４０宛に送信する。ここで、アドレス情報としては、例えば、ＵＲＬ（Uniform Resource Locator）がある。なお、メール送信部１５は、クレジット決済申請部１２がクレジット決済システムからクレジット決済の受付が完了した旨の応答を受信した場合（決済処理が正常に終了した場合）に機能する。
【００２６】
チャージ承諾取得部１６は、贈り側端末３０のユーザからプレゼントされたチャージ額を受け取ることを承諾するか否かを示す承諾情報を、メール送信部１５により送信された電子メールに示されるアドレス情報に基づいてアクセスしてきた受取側端末４０から取得する。具体的に説明すると、チャージ承諾取得部１６は、チャージ仲介サーバ１０にアクセスしてきた受取側端末４０に対して、チャージ額の受け取りを承諾するか否かの選択を促すための受取承諾画面を表示させる表示データを送信する。チャージ承諾取得部１６は、受取承諾画面で選択された情報を承諾情報として受取側端末４０から受信する。
【００２７】
充当要求送信部１７は、チャージ承諾取得部１６により取得された承諾情報が、チャージ額の受け取りを承諾することを示す場合に、受取側端末４０に対応する通信料金等の請求金額に当該チャージ額を充当するように要求する充当要求を、料金管理サーバ２０に送信する。
【００２８】
また、充当要求送信部１７は、チャージ承諾取得部１６によりチャージ額の受け取りを承諾することを示す承諾情報が取得されることなく、かつ、所定のチャージ期限を経過した場合に、贈り側端末３０に対応する通信料金等の請求金額に当該チャージ額を充当するように要求する充当要求を、料金管理サーバ２０に送信する。なお、チャージ期限は、例えば、３０日として設定され、チャージ仲介サーバ１０に記憶されている。したがって、充当要求送信部１７は、チャージ仲介情報に含まれる仲介情報登録日とチャージ期限とに基づいて、所定のチャージ期限を経過したか否かを判断する。また、贈り側端末３０の請求金額にチャージ額を充当させる場合には、充当要求送信部１７から送信される充当要求に贈り側端末３０の電話番号が含まれることとし、この贈り側端末３０の電話番号が、料金管理サーバ２０において後述するチャージ先電話番号として取り扱われる。
【００２９】
図１に示される料金管理サーバ２０は、贈り側端末３０から受取側端末４０にプレゼントされるチャージ額を管理するとともに、贈り側端末３０や受取側端末４０の通信料金等の請求金額を管理する装置である。
【００３０】
ここで、図３を参照して料金管理サーバ２０の機能構成について説明する。図３に示すように、料金管理サーバ２０は、チャージ仲介情報受信部２１と、チャージ情報登録部２２と、充当要求受信部（充当要求受信手段）２３と、充当受付部（充当手段）２４とを有している。
【００３１】
チャージ仲介情報受信部２１は、チャージ仲介サーバ１０から送信されたチャージ仲介情報を受信する。
【００３２】
チャージ情報登録部２２は、チャージ仲介情報受信部２１により受信されたチャージ仲介情報に基づいてチャージ情報をデータベースに記憶させる。
【００３３】
ここで、図５を参照して、チャージ情報を記憶するデータベースのデータ構成について説明する。データベースには、データ項目として、例えば、チャージＩＤ、チャージ先電話番号、チャージ額、チャージ先確定日、および登録状況が設定されている。チャージＩＤには、チャージ仲介情報に含まれるチャージＩＤが格納され、チャージ先電話番号には、チャージ仲介情報に含まれる受取側電話番号または充当要求に含まれる贈り側端末の電話番号が格納され、チャージ額には、チャージ仲介情報に含まれるチャージ額が格納され、チャージ先確定日には、チャージ額を充当するチャージ先が確定した年月日が格納される。また、登録状況には、チャージ先が確定されていない仮登録状態であるか、チャージ先が確定された後の本登録状態であるかを示す状況コードが格納される。
【００３４】
充当要求受信部２３は、チャージ仲介サーバ１０から送信された充当要求を受信する。
【００３５】
充当受付部２４は、充当要求受信部２３により受信された充当要求に基づいてチャージ先電話番号に対応して管理されている請求金額に対して、チャージ額の充当を可能にするための充当受付処理を実行する。なお、料金管理サーバ２０では、各携帯電話機の電話番号ごとに通話料金等の請求金額が記憶され、管理されている。また、充当受付部２４により実行される充当受付処理の内容を具体的に説明すると、充当受付部２４は、チャージ情報に含まれる登録状況を仮登録状態から本登録状態に変更し、チャージ先確定日に充当処理の実行日を格納する。これにより、例えば、次回の請求金額の決済処理において、当該決済処理の対象期間中に充当受付処理が実行された携帯電話機に対応する請求金額からチャージ額が差し引かれ、この差し引き後の請求金額が当該携帯電話機の契約者に請求されることになる。なお、チャージ額が請求金額を超える場合には、さらに次回の請求金額の決済処理において残りのチャージ額を充当することとする。
【００３６】
次に、図６を参照して、サービス提供システム１におけるチャージ処理の動作を説明する。
【００３７】
まず、贈り側端末３０は、ユーザからの操作指示に基づいてチャージ仲介サーバ１０にアクセスする（ステップＳ１）。
【００３８】
次に、チャージ仲介サーバ１０のチャージ仲介情報取得部１１は、チャージ仲介サーバ１０にアクセスしてきた贈り側端末３０に対して、チャージ仲介情報を入力するためのチャージ仲介情報入力画面を表示させる表示データを送信する（ステップＳ２）。
【００３９】
次に、贈り側端末３０は、ユーザからの操作指示に基づいて、自端末の画面上に表示されたチャージ仲介情報入力画面の各入力項目にデータが入力され、入力確定指示がなされると、贈側特定情報、受取側特定情報およびチャージ額等を含むチャージ仲介情報をチャージ仲介サーバ１０に送信する（ステップＳ３）。
【００４０】
次に、チャージ仲介サーバ１０のクレジット決済申請部１２は、贈り側端末３０から受信したチャージ仲介情報に含まれるチャージ額をクレジット決済するために、贈り側の決済口座情報が登録されているクレジット決済システムに対して、クレジット決済の申請を要求するクレジット決済の申請要求を送信するとともに、クレジット決済システムから当該申請要求に対する応答を受信する（ステップＳ４）。
【００４１】
次に、クレジット決済申請部１２がクレジット決済システムからクレジット決済の受付が完了した旨の応答を受信した場合において、チャージ仲介サーバ１０のチャージ仲介情報登録部１３は、チャージ仲介情報取得部１１により取得されたチャージ仲介情報をデータベースに登録する（ステップＳ５）。
【００４２】
次に、チャージ仲介サーバ１０のチャージ仲介情報送信部１４は、チャージ仲介情報取得部１１により取得されたチャージ仲介情報を、料金管理サーバ２０に送信する（ステップＳ６）。
【００４３】
次に、料金管理サーバ２０のチャージ情報登録部２２は、チャージ仲介情報受信部２１により受信されたチャージ仲介情報に基づいてチャージ情報をデータベースに登録する（ステップＳ７）。料金管理サーバ２０は、チャージ情報の登録が完了した旨をチャージ仲介サーバ１０に通知する（ステップＳ８）。
【００４４】
次に、チャージ仲介サーバ１０は、料金管理サーバ２０からチャージ情報の登録が完了した旨の通知を受信した場合に、その旨を示す登録完了画面を表示させる表示データを、贈り側端末３０に送信する（ステップＳ９）。
【００４５】
次に、チャージ仲介サーバ１０のメール送信部１５は、チャージ仲介情報に含まれるチャージ額およびチャージ仲介サーバ１０のＵＲＬを示すプレゼント案内メールを受取側端末４０宛に送信する（ステップＳ１０）。
【００４６】
次に、受取側端末４０は、ユーザからの操作指示に基づいて、自端末の画面上に表示されたチャージ仲介サーバ１０のＵＲＬが選択されると（ステップＳ１１）、当該ＵＲＬに基づいてチャージ仲介サーバ１０にアクセスする（ステップＳ１２）。
【００４７】
次に、チャージ仲介サーバ１０のチャージ承諾取得部１６は、チャージ仲介サーバ１０にアクセスしてきた受取側端末４０に対して、チャージ額の受け取りを承諾するか否かの選択を促すための受取承諾画面を表示させる表示データを送信する（ステップＳ１３）。
【００４８】
次に、受取側端末４０は、ユーザからの操作指示に基づいて、自端末の画面上に表示された受取承諾画面からチャージ額の受け取りを承諾するか否かの選択がなされ、入力確定指示がなされると、この受取承諾画面で選択された情報を承諾情報としてチャージ仲介サーバ１０に送信する（ステップＳ１４）。
【００４９】
次に、チャージ仲介サーバ１０のチャージ承諾取得部１６は、受取側端末４０から送信された承諾情報を受信する。次に、チャージ仲介サーバ１０の充当要求送信部１７は、チャージ承諾取得部１６により取得された承諾情報が、チャージ額の受け取りを承諾することを示す内容であると判断した場合に、受取側端末４０に対応する通信料金等の請求金額に当該チャージ額を充当するように要求する充当要求を、料金管理サーバ２０に送信する（ステップＳ１５）。なお、チャージ承諾取得部１６により取得された承諾情報がチャージ額の受け取りを拒否することを示す内容であると判断した場合等における処理については、後述する。
【００５０】
次に、料金管理サーバ２０の充当要求受信部２３は、チャージ仲介サーバ１０から送信された充当要求を受信する。料金管理サーバ２０の充当受付部２４は、充当要求受信部２３により受信された充当受付要求に基づいて、受取側電話番号に対応して管理されている請求金額に対して、チャージ額の充当を可能にするための充当受付処理を実行する（ステップＳ１６）。これにより、次回の請求金額の決済処理において、受取側端末４０に対応する請求金額からチャージ額が差し引かれ、この差し引き後の請求金額が受取側端末４０のユーザに請求されることになる。料金管理サーバ２０は、充当受付処理が完了した旨をチャージ仲介サーバ１０に通知する（ステップＳ１７）。
【００５１】
次に、料金管理サーバ２０は、受取側端末４０に対して、チャージの充当受付処理が完了したこと、すなわちチャージの受付が完了したことを示す受付完了報告画面の表示データを送信するとともに（ステップＳ１８）、贈り側端末３０に対して、チャージの受付が完了したことを示す受付完了報告メールを送信する（ステップＳ１９）。
【００５２】
次に、上述したステップＳ１４において受取側端末４０から送信された承諾情報がチャージ額の受け取りを拒否することを示す内容である場合に行われる処理について以下に説明する。
【００５３】
まず、上述したステップＳ１４における処理の後に、チャージ仲介サーバ１０のチャージ承諾取得部１６は、受取側端末４０から送信された承諾情報を受信する。次に、チャージ仲介サーバ１０の充当要求送信部１７は、チャージ承諾取得部１６により取得された承諾情報が、チャージ額の受け取りを拒否することを示す内容であると判断した場合に、その旨を示す拒否報告メールを贈り側端末３０に送信する（ステップＳ１５Ａ）。次に、チャージ仲介サーバ１０のチャージ仲介情報取得部１１は、チャージ仲介サーバ１０にアクセスしてきた贈り側端末３０に対して、チャージ仲介情報入力画面を表示させる表示データを送信し、改めてチャージ仲介情報の入力を促す（ステップＳ１６Ａ）。そして、上述したステップＳ３以降の処理を繰り返す。
【００５４】
次に、上述したステップＳ１０においてチャージ仲介サーバ１０から受取側端末４０宛にプレゼント案内メールが送信された後に、受取側端末４０からチャージ額の受け取りを承諾することを示す承諾情報が送信されることなく、かつ、所定のチャージ期限を経過した場合に行われる処理について以下に説明する。
【００５５】
まず、上述したステップＳ１０における処理の後に、チャージ仲介サーバ１０のチャージ承諾取得部１６によりチャージ額の受け取りを承諾することを示す承諾情報が取得されることなく、かつ、充当要求送信部１７により所定のチャージ期限を経過したと判断された場合に、チャージ仲介サーバ１０は、その旨を示す期限経過報告メールを贈り側端末３０に送信する（ステップＳ１１Ｂ）。次に、チャージ仲介サーバ１０の充当要求送信部１７は、贈り側端末３０に対応する通信料金等の請求金額にチャージ額を充当するように要求する充当要求を、料金管理サーバ２０に送信する（ステップＳ１２Ｂ）。ここで、この充当要求には、贈り側端末３０の電話番号が含まれる。次に、料金管理サーバ２０の充当受付部２４は、充当要求受信部２３により受信された充当要求に基づいて、贈り側端末３０の電話番号に対応して管理されている請求金額に対して、チャージ額の充当を可能にするための充当受付処理を実行する（ステップＳ１３Ｂ）。その後、上述したステップＳ１７およびＳ１９の処理を行う。
【００５６】
以上のように、本実施形態におけるサービス提供システム１では、クレジット決済されるチャージ額を、贈り側端末３０のユーザから受取側端末４０のユーザにプレゼントすることが可能となり、このプレゼントされたチャージ額を受取側端末４０に対応する請求金額に充当させることができる。したがって、プリペイドカードを発行することなくチャージ額を通信料金等の請求金額に充当させることができる。
【００５７】
また、チャージ承諾取得部１６により取得された承諾情報がチャージ額の受け取りを拒否することを示す場合には、チャージ仲介サーバ１０のチャージ仲介情報取得部１１が、贈り側端末３０から改めてチャージ仲介情報を取得させているため、チャージ額がプレゼントされた受取側によってチャージ額の受け取りが拒否された場合であっても、贈り側は、受取側を変更してチャージ額をプレゼントすることができる。
【００５８】
また、チャージ承諾取得部１６によりチャージ額の受け取りを承諾することを示す承諾情報が取得されることなく、所定のチャージ期限を経過した場合には、チャージ仲介サーバ１０の充当要求送信部１７が、贈り側端末３０に対応する請求金額にチャージ額を充当するように要求する充当要求を、料金管理サーバ２０に送信し、料金管理２０の充当受付部２４が、贈り側端末３０に対応する請求金額にチャージ額を充当させているため、チャージ額がプレゼントされた受取側から何ら返答がない場合であっても、所定のチャージ期限が経過した場合には、贈り側自身の請求金額にチャージ額を充当させることができる。
【００５９】
なお、上述した実施形態において、上述したステップＳ１４で受取側端末４０から送信された承諾情報がチャージ額の受け取りを拒否することを示す内容である場合に実行される処理として、上述したステップＳ１５ＡおよびＳ１６Ａにおける処理を説明したが、この場合に実行される処理はこの処理に限定されない。例えば、上述したステップＳ１５Ａにおける処理の後に、チャージ仲介サーバ１０の充当要求送信部１７は、贈り側端末３０に対応する通信料金等の請求金額にチャージ額を充当するように要求する充当要求を、料金管理サーバ２０に送信する（ステップＳ１６Ｃ）。ここで、この充当要求には、贈り側端末３０の電話番号が含まれる。次に、料金管理サーバ２０の充当受付部２４は、充当要求受信部２３により受信された充当要求に基づいて、贈り側端末３０の電話番号に対応して管理されている請求金額に対して、チャージ額の充当を可能にするための充当受付処理を実行する（ステップＳ１７Ｃ）。そして、上述したステップＳ１７およびＳ１９の処理を行うこととしてもよい。これにより、チャージ額がプレゼントされた受取側によってチャージ額の受け取りが拒否された場合であっても、贈り側は、贈り側自身の請求金額にチャージ額を充当させることができる。
【００６０】
また、上述した実施形態においては、チャージ額の決済処理として、チャージ額をクレジット決済により決済しているが、チャージ額の決済処理の内容は、これに限られない。例えば、チャージ額を２次元コードにより決済してもよい。この場合に、上記クレジット決済申請部（決済要求手段）１２は、贈り側端末３０から取得したチャージ仲介情報に含まれるチャージ額を含んだ２次元コードを生成し、この生成した２次元コードを贈り側端末３０に送信する。その後、クレジット決済申請部１２は、例えば、チャージ額が２次元コードを利用してコンビニエンスストア等で支払われた場合には、その旨の応答をコンビニエンスストアシステム等から受信する。また、チャージ仲介情報送信部１４およびメール送信部１５は、クレジット決済申請部１２がコンビニエンスストアシステム等からチャージ額の支払い（決済）が完了した旨の応答を受信した場合（決済処理が正常に終了した場合）に機能することとなる。
【００６１】
また、上述した実施形態において、チャージ仲介情報にプレゼント案内メールの送信予定日を設けてもよい。これにより、受取側端末４０を所有するユーザの誕生日等の記念日に合わせてプレゼント案内メールを送信することができる。
【００６２】
また、上述した実施形態においては、チャージ仲介サーバ１０において記憶されるチャージ仲介情報と、料金管理サーバ２０において記憶されるチャージ情報とを別個に管理しているが、これらの情報をチャージ仲介サーバ１０で一括して管理することとしてもよい。この場合には、例えば、上述したステップＳ１５における充当要求に、チャージ先電話番号およびチャージ額を含めることとすればよい。また、上述したステップＳ１６における充当受付処理において、チャージ先電話番号およびチャージ額を料金管理サーバ２０のデータベースに登録することにより、チャージ先電話番号に対応して管理されている請求金額に対してチャージ額の充当を可能にするための充当受付処理を実行することとしてもよい。この場合には、上述したステップＳ６〜Ｓ９までの処理を省略することができる。
【００６３】
また、上述した実施形態においては、本発明の実施態様の代表例であるサービス提供システムについて説明しているが、本発明の実施態様はサービス提供システムに限られない。例えば、サービス提供方法にも適用可能である。この場合に、本発明のサービス提供方法は、チャージ仲介装置（チャージ仲介サーバ１０）が、少なくとも、請求金額に充当するチャージ額の贈り側を特定する贈側特定情報、チャージ額の受け取り側を特定する受取側特定情報およびチャージ額を含むチャージ仲介情報を、贈り側の端末から取得するチャージ仲介情報取得ステップと、チャージ仲介装置が、チャージ仲介情報取得ステップにおいて取得されたチャージ仲介情報に含まれるチャージ額の決済処理を行うように要求する決済要求ステップと、チャージ仲介装置が、決済要求ステップにおいて要求された決済処理が正常に終了した場合に、チャージ仲介情報取得ステップにおいて取得されたチャージ仲介情報に含まれるチャージ額および自装置のアドレス情報を示す電子メールを受取側の端末宛に送信するメール送信ステップと、チャージ仲介装置が、メール送信ステップにおいて送信された電子メールに示されるチャージ額の受け取りを承諾するか否かを示す承諾情報を、上記アドレス情報に基づいてアクセスしてきた受取側の端末から取得する承諾取得ステップと、チャージ仲介装置が、承諾取得ステップにおいて取得された承諾情報がチャージ額の受け取りを承諾することを示す場合に、受取側の端末に対応する請求金額にチャージ額を充当するように要求する充当要求を、料金管理装置に送信する充当要求送信ステップと、料金管理装置（料金管理サーバ２０）が、上記充当要求をチャージ仲介装置から受信する充当要求受信ステップと、料金管理装置が、充当要求受信ステップにおいて受信された充当要求に基づいて、受取側の端末に対応する請求金額にチャージ額を充当させる充当ステップとを備えることを特徴とする。
【図面の簡単な説明】
【００６４】
【図１】発明の実施形態におけるサービス提供システムの構成を示す図である。
【図２】図１に示すチャージ仲介サーバの機能構成を示すブロック図である。
【図３】図１に示す料金管理サーバの機能構成を示すブロック図である。
【図４】チャージ仲介情報データベースのデータベース構成を示す図である。
【図５】チャージ情報データベースのデータベース構成を示す図である。
【図６】サービス提供処理の詳細動作を示すシーケンス図である。
【符号の説明】
【００６５】
１・・・サービス提供システム、１０・・・チャージ仲介サーバ、１１・・・チャージ仲介情報取得部、１２・・・クレジット決済申請部、１３・・・チャージ仲介情報登録部、１４・・・チャージ仲介情報送信部、１５・・・メール送信部、１６・・・チャージ承諾取得部、１７・・・充当要求送信部、２０・・・料金管理サーバ、２１・・・チャージ仲介情報受信部、２２・・・チャージ情報登録部、２３・・・充当要求受信部、２４・・・充当受付部、３０・・・贈り側端末、４０・・・受取側端末、５０・・・移動通信網。
【図１】
2005094675.tif 000003
【図２】
2005094675.tif 000004
【図３】
2005094675.tif 000005
【図４】
2005094675.tif 000006
【図５】
2005094675.tif 000007
【図６】
2005094675.tif 000008